(57)【特許請求の範囲】
【請求項１】
通信システムを制御する方法であって、
注目領域にわたるグリッドの各ｘ，ｙ座標において前記通信システムに関連するパラメータに対応する少なくとも１つのパラメータメッシュを計算する段階であって、前記通信システムに関連するパラメータは順方向および逆方向電力要求、有用なパイロット信号の数、および最善のパイロット信号を含む、段階、
前記少なくとも１つのパラメータメッシュを評価して前記通信システムに関連するパラメータに変化をもたらす制御信号を発生する段階、そして
前記発生された制御信号に基づき前記通信システムを制御する段階、
を具備する、通信システムを制御する方法。
【請求項２】
通信システムを制御する方法であって、
注目領域にわたるグリッドの各々のｘ，ｙ座標において前記通信システムに関連する複数の異なるパラメータに対応する複数のパラメータメッシュを計算する段階であって、前記通信システムに関連する複数の異なるパラメータは順方向および逆方向電力要求、有用なパイロット信号の数、および最善のパイロット信号を含む、段階、
前記複数のパラメータメッシュを組み合わせて所定の制御信号を発生する段階、そして
前記発生された所定の制御信号に基づき前記通信システムを制御する段階、
を具備する、通信システムを制御する方法。
【請求項３】
符号分割多元接続（ＣＤＭＡ）通信システムを制御する方法であって、
注目領域における全てのベースステーションに対して順方向リンク電力要求を決定する段階、
前記決定された順方向リンク電力要求に基づき、最大の順方向リンク電力に寄与するベースステーションを決定する段階、そして
全てのベースステーションの総合の順方向リンク電力に関するその順方向リンク電力の寄与が軽減されるようにそのベースステーションへの移動ステーションの接続の数を制限する段階、
を具備するＣＤＭＡ通信システムを制御する方法。
【請求項４】
前記注目のベースステーションへの接続の数は前記通信システムにおけるベースステーションの影響の再評価に基づき増大することが許容される、請求項３に記載の方法。
【発明の詳細な説明】
発明の分野
本発明は一般的には通信システムに関し、かつより特定的には改善された通信システム制御のために通信可能範囲またはカバレージ（ｃｏｖｅｒａｇｅ）および負荷（ｌｏａｄｉｎｇ）を正確に特性付けることに関する。
発明の背景
符号分割多元接続またはマルチアクセス（ＣＤＭＡ）通信システムのような、多数のユーザが同じキャリア周波数を共用する高速電力制御セルラ多元接続システムの性能は従来技術によっては十分に特性付けられて（ｃｈａｒａｃｔｅｒｉｚｅｄ）おらずおよび／または制御されていない。その理由はそのようなＣＤＭＡ通信システムによって示される数多くの微細な差異（ｎｕａｎｃｅｓ）による。例えば、伝統的なセルラ多元接続システムと異なり、ＣＤＭＡ通信システムにおいては、電力がユーザの間でキャリアに対して共用される際に、ベースステーションおよび移動ステーション双方の送信電力を絶えず変化させる調整が行われ、かつ従ってベースステーションおよび移動ステーションの双方において見られるノイズが広い範囲にわたり毎秒ごとに多数回変化する。他の理由は局部化された（ｌｏｃａｌｉｚｅｄ）遅延広がり状態がＣＤＭＡ通信システムにおける受信機の感度性能に大いに影響を与えることがありかつまた各々のベースステーションおよび移動ステーションにおける電力制御設定に影響を与える可能性があることである。
上述のことに関連して無線機の性能および送信電力はソフトハンドオフの特徴機能により大いに影響を受け、この場合移動ステーションは複数のベースステーションに送信し、かつ複数のベースステーションから信号を受信する。他の理由は前述の方法は、通信の間に、多くの移動ステーションは最善のベースステーションに接続されず、タイマおよび現実的な走査測定時間により、しばしば通信のために決して最適ではない接続を経験するという実際上の事実を無視していることである。これはシステムにおけるＣＤＭＡ受信機によってみられるノイズの量に影響を与えかつ従ってベースステーションにおける電力制御設定に影響を与える。
従って、改善されたシステム制御を提供するためにＣＤＭＡ通信システムにおいてカバレージおよび負荷を特性付ける正確な方法の必要性が存在する。
【図面の簡単な説明】
図１は、ブロック図形式で、本発明に係わる改善されたシステム制御を有利に使用することができる符号分割多元接続（ＣＤＭＡ）無線通信システムを示す。
図２は、ブロック図形式で、ベースステーションのＣＤＭＡ受信機と通信するＣＤＭＡ移動ステーションの送信機を概略的に示す。
図３は、ブロック図形式で、ＣＤＭＡ移動ステーションの受信機と通信するＣＤＭＡベースステーションの送信機を概略的に示す。
図４は、本発明に係わる図１のシステムのための例示的なパラメータメッシュ計算スペースを概略的に示す。
図５は、流れ図形式で、本発明に係わるシステム制御において使用するために種々のパラメータメッシュを決定するために図１のコントローラによって行われるステップを概略的に示す。
好ましい実施形態の詳細な説明
一般的にいえば、符号分割多元接続（ＣＤＭＡ）通信システムはＣＤＭＡ通信システムに関連するカバレージおよび負荷またはローディング（ｌｏａｄｉｎｇ）のパラメータを正確に特性付けることによって改善された制御を有する。ＣＤＭＡ通信システムに関連するカバレージおよびローディングのパラメータを正確に特性付けるため、ＣＤＭＡ通信システムのパラメータに対応するパラメータメッシュ（ｐａｒａｍｅｔｅｒ  ｍｅｓｈｅｓ）が発生される。該パラメータメッシュは、個別にまたは組み合せて、評価されてＣＤＭＡ通信システムの性能に関する包括的（ｃｏｍｐｒｅｈｅｎｓｉｖｅ）情報を提供する。前記評価の結果に基づき、ＣＤＭＡ通信システム内のコントローラはＣＤＭＡ通信システムの呼の品質、負荷またはローディング（ｌｏａｄｉｎｇ）、その他を改善するために前記パラメータを制御する。
より特定的には、通信システムを制御する方法が開示される。該方法は概略的に該通信システムに関連するパラメータに対応する少なくとも１つのパラメータメッシュを計算し次に該パラメータメッシュを評価して前記通信システムに関連するパラメータに影響を与える制御信号を発生する段階を具備する。前記通信システムは発生された制御信号に基づき制御される。好ましい実施形態では、前記通信システムに関連するパラメータは、これらに限定されるものではないが、フォワードまたは順方向およびリバースまたは逆方向電力要求、有用なパイロット信号の数、および最善のパイロット信号を含む。また、好ましい実施形態では、前記パラメータメッシュの計算はある注目の領域にわたりグリッドの各々のｘ，ｙ座標において行われる。
ＣＤＭＡ通信システム制御の他の態様では、注目の領域におけるすべてのベースステーションに対する前記順方向リンク電力要求が決定される。次に、決定された順方向リンク電力要求に基づき、最大の順方向電力に寄与するベースステーションが決定される。ベースステーションの影響を軽減するため、そのベースステーションに対する移動ステーションの接続の数が制限され、それによってすべてのベースステーションの合計の順方向リンク電力に関するその順方向リンク電力の寄与（ｃｏｎｔｒｉｂｕｔｉｏｎ）が減少される。注目のベースステーションに対する接続の数は通信システムに関するベースステーションの影響の再評価に基づき増大することが許容される。
ＣＤＭＡ通信システム制御の他の態様では、通信システムにおける移動ステーションによって寄与されるノイズの合計量が決定される。次に、前記決定されたノイズの合計量に対する受入れ難い量のノイズに寄与する移動ステーションが決定される。最後に、通信システムにおける合計のノイズが受入れ可能なレベルに到達するまで受入れ難い量のノイズに寄与するこれらの移動ステーションへのアクセスが制限されて不快なまたは攻撃的な（ｏｆｆｅｎｓｉｖｅ）移動ステーションの影響を減少させる。ＣＤＭＡ通信システム制御のこの態様では、ＣＤＭＡ通信システムの合計ノイズは注目の領域におけるすべての移動ステーションに対して計算された要求される逆方向リンク電力要求のパラメータメッシュによって決定される。
図１は、ブロック図形式で、本発明に係わる改善されたシステム制御を有利に用いることができる無線通信システム１００を概略的に示す。好ましい実施形態では、無線通信システム１００は符号分割多元接続（ＣＤＭＡ）セルラ無線電話システムである。しかしながら、当業者が理解するように、本発明に係わる改善されたシステム制御は任意の無線通信システムにおいて実施することができる。
図１を参照すると、便宜上頭字語（ａｃｒｏｎｙｍｓ）が使用されている。図１において使用されている頭字語に対する定義のリストが以下に与えられている。
0004128222.tif 000002
図１に見られるように、複数のベースステーション１０１〜１０３がＣＢＳＣ１０４に結合されている。各ベースステーション１０１〜１０３は移動ステーション１０５に対し無線周波（ＲＦ）通信を提供する。好ましい実施形態では、ＲＦ通信資源の伝達をサポートするためのベースステーション１０１〜１０３および移動ステーション１０５において実施される送信機／受信機（送受信機）ハードウエアは、アメリカ合衆国、ワシントン、ＤＣ、２０００６、ペンシルバニア・アベニュ２００１の、電気通信工業会（Ｔｅｌｅｃｏｍｍｕｎｉｃａｔｉｏｎ  Ｉｎｄｕｓｔｒｙ  Ａｓｓｏｃｉａｔｉｏｎ：ＴＩＡ）から入手可能な、ＴＩＡ／ＥＩＡ／ＩＳ−９５Ａ、２重モード広帯域スペクトル拡散セルラシステムのための移動ステーション−ベースステーション互換性標準（ＴＩＡ／ＥＩＡ／ＩＳ−９５Ａ，Ｍｏｂｉｌｅ  Ｓｔａｔｉｏｎ−Ｂａｓｅ  Ｓｔａｔｉｏｎ  Ｃｏｍｐａｔｉｂｉｌｉｔｙ  Ｓｔａｎｄａｒｄ  ｆｏｒ  Ｄｕａｌ  Ｍｏｄｅ  Ｗｉｄｅｂａｎｄ  Ｓｐｒｅａｄ  Ｓｐｅｃｔｒｕｍ  Ｃｅｌｌｕｌａｒ  Ｓｙｓｔｅｍ）、１９９３年７月、と題する文献に実質的に規定されている。ＣＢＳＣ１０４は、とりわけ、ＴＣ１１０を介しての呼処理およびＭＭ１０９を介してのモビリティ管理の責務を有する。ＣＢＳＣ１０４は同様に本発明に従って改善されたシステム制御を提供するコントローラ１１３を含む。ＣＢＳＣ１０４の他のタスクは特徴機能の制御（ｆｅａｔｕｒｅ  ｃｏｎｔｒｏｌ）および送信／ネットワーキングのインタフェースを含む。ＣＢＳＣ１０４の一般的な機能に関するこれ以上の情報については、本件出願に譲受人に譲渡され、ここに参照のため導入される、バッチ（Ｂａｃｈ）他への米国特許第５，４７５，６８６号を参照。
図１には、ＣＢＳＣ１０４のＭＭ１０９に結合されたＯＭＣＲ１１２が示されている。ＯＭＣＲ１１２は通信システム１００の無線機部分（ＣＢＳＣ１０４およびベースステーション１０１〜１０３の組合せ）の動作運用および一般的なメンテナンスの責務を有する。ＣＢＳＣ１０４はＭＳＣ１１５に結合され、ＭＳＣ１１５はＰＳＴＮ１２０／ＩＳＤＮ１２２およびＣＢＳＣ１０４の間のスイッチング能力を提供する。ＯＭＣＳ１２４は通信システム１００のスイッチング部分（ＭＳＣ１１５）の動作運用および一般的なメンテナンスの責務を有する。ＨＬＲ１１６およびＶＬＲ１１７は通信システム１００に主として課金目的で使用されるユーザ情報を提供する。
ＣＢＳＣ１０４，ＭＳＣ１１５，ＨＬＲ１１６およびＶＬＲ１１７の機能は図１のように分配されて示されているが、当業者は該機能は同様に単一の要素に組合せることが可能なことを理解するであろう。また、異なる構成のためには、ＴＣ１１０はＭＳＣ１１５またはベースステーション１０１〜１０３に配置することができる。ＭＳＣ１１５をＣＢＳＣ１０４と結合するリンク１２６は技術的によく知られたＴ１／Ｅ１リンクである。ＴＣ１１０をＣＢＳＣに配置することにより、ＴＣ１１０による入力信号（Ｔ１／Ｅ１リンク１２６からの入力）の圧縮によりリンク予算の４：１の改善が実現される。圧縮された信号は特定の移動ステーション１０５に送信するために特定のベースステーション１０１〜１０３に転送される。特定のベースステーション１０１〜１０３に転送される圧縮された信号は送信が行われる前にベースステーション１０１〜１０３においてさらなる処理を受けることに注目することが重要である。言い換えれば、移動ステーション１０５に送信される最終的な信号はＴＣ１１０から出てゆく圧縮された信号と異なる形式を有するが実体は同じである。
移動ステーション１０５がベースステーション１０１〜１０３によって送信された信号を受信したとき、該移動ステーション１０５は本質的にシステム１００によって行われる処理の大部分をもとに戻す（ｕｎｄｏ）ことになる（通常「デコード（ｄｅｃｏｄｅ）」と称される）。移動ステーション１０５が信号をベースステーション１０１〜１０３に送り返す場合、移動ステーション１０５は同様にそれ自身の処理を実施する。処理を受けた信号が移動ステーション１０５によって（信号の該処理は形式を変えることであるが、信号の実体または実質は変えない）ベースステーション１０１〜１０３に送信された後に、ベースステーション１０１〜１０３は該信号に対して行われた処理を「もとに戻し（ｕｎｄｏ）」かつシステム１００内の適切なポイントに転送する。最終的に、該信号はＴ１／Ｅ１リンク１２６を介してエンドユーザに転送される。
図２は、ブロック図形式で、ＣＤＭＡベースステーション１０１〜１０３のいずれか（またはすべて）の受信機２０３と通信するＣＤＭＡ移動ステーション１０５の送信機２００を概略的に示す。通信システムの符号化部分（ｅｎｃｏｄｉｎｇ  ｐｏｒｔｉｏｎ）２０１においては、トラフィックチャネルのデータビット２０２がマイクロプロセッサ（μＰ）２０５から発信し、かつ特定のビットレート（例えば、９．６キロビット／秒）でエンコーダ２０４に入力される。μＰ２０５は関連機能（ｒｅｌａｔｅｄ  ｆｕｎｃｔｉｏｎｓ）２０７と表示されたブロックに結合され、そこで呼処理、リンク確立、および無線通信を確立しかつ維持することに関連する他の一般的な機能が行われる。前記トラフィックチャネルのデータビット２０２はボコーダによってデータに変換された音声、純粋のデータ、または２つの形式のデータの組合せを含むことができる。エンコーダ２０４は前記トラフィックチャネルのデータビット２０２を固定された符号化レート（１／ｒ）でデータシンボル２０６へと、該データシンボルのデータシンボルへの引き続く最尤デコードを可能にする符号化アルゴリズム（例えば、たたみ込みまたはブロック符号化アルゴリズム）によって符号化する。例えば、エンコーダ２０４はトラフィックチャネルのデータビット２０２（例えば、９．６キロビット／秒のレートで受信された１９２の入力データビット）を３つのデータシンボルに対して１データビットの固定された符号化レート（すなわち、１／３）で符号化しエンコーダ２０４がデータシンボル２０６（例えば、２８．８キロシンボル／秒のレートで出力される５７６データシンボル）を出力できるようにする。
データシンボル２０６は次にインタリーバ（ｉｎｔｅｒｌｅａｖｅｒ）２０８に入力される。インタリーバ２０８は該データシンボル２０６をブロック（すなわち、フレーム）へと編成しかつ入力データシンボル２０６をシンボルレベルでブロックインタリーブする。インタリーバ２０８においては、前記データシンボルは所定のサイズブロックのデータシンボルを規定するマトリクスへと個々に入力される。前記データシンボルは前記マトリクスが列またはコラムごとの様式（ｃｏｌｕｍｎ  ｂｙ  ｃｏｌｕｍｎ  ｍａｎｎｅｒ）で充填されるようにマトリクス内の各ロケーションへ入力される。前記データシンボルは前記マトリクスがローまたは行ごとの様式（ｒｏｗ  ｂｙ  ｒｏｗ  ｍａｎｎｅｒ）で空にされるように前記マトリクス内の各ロケーションから個々に出力される。典型的には、前記マトリクスはコラムの数に等しいローの数を有する正方行列（ｓｑｕａｒｅ  ｍａｔｒｉｘ）であるが、他のマトリクス形式を選択して引き続き入力されるノンインタリーブのデータシンボルの間の出力インタリーブ距離を増大することもできる。インタリーブされたデータシンボル１１０はそれらが入力された同じデータシンボルレートで（例えば、２８．８キロシンボル／秒）インタリーバ２０８によって出力される。前記マトリクスによって規定されるデータシンボルのブロックの所定のサイズは所定の長さの送信ブロック内の符号化されたビットレートで送信できるデータシンボルの最大数から得られる。例えば、データシンボル２０６が２８．８キロシンボル／秒のレートでエンコーダ２０４から出力され、かつもし前記送信ブロックの所定の長さが２０ミリセカンドであれば、前記データシンボルのブロックの所定のサイズは２８．８キロシンボル／秒の２０ミリセカンド（ｍｓ）倍であり、これは１８×３２マトリクスを規定する５７６のデータシンボルに等しい。
前記符号化された、インタリーブされたデータシンボル２１０は通信システムの符号化部分２０１から出力されかつ通信システムの送信部分２１６に入力される。前記データシンボル２１０は変調器２１７によって通信チャネルによって送信するために準備される。その後、変調された信号はデジタル無線チャネル１０８によって送信するためにアンテナ２１８に与えられる。
変調器２１７は拡散プロセス（ｓｐｒｅａｄｉｎｇ  ｐｒｏｃｅｓｓ）において前記符号化された、インタリーブされたデータシンボル２１０から一連の固定された長さのコードを得ることによりダイレクトシーケンスＣＤＭＡ送信のためにデータシンボル２１０を準備する。例えば、リファレンスコーデッドまたは基準符号化（ｒｅｆｅｒｅｎｃｅ−ｃｏｄｅｄ）データシンボル２１０の流れの中のデータシンボルは独自の固定長さのコードに拡散され、この場合６つのデータシンボルのグループが単一の６４ビット長さのコードによって表わされる。前記６つのデータシンボルのグループを表わすコードは好ましくは単一の６４ビット長さのコードを形成するよう組み合わされる。この拡散プロセスの結果として、前記符号化された、インタリーブされたデータシンボル２１０を固定レート（例えば、２８．８キロシンボル／秒）で受信する変調器２１７は今やより高い固定シンボルレート（例えば、３０７．２キロシンボル／秒）を有する６４ビット長さのコードの拡散シーケンスをもつことになる。当業者は前記符号化された、インタリーブされたデータビット２１０の流れの中のデータシンボルは数多くの他のアルゴリズムによって一連のより大きな長さのコードに拡散できることを理解するであろう。
前記拡散シーケンス（ｓｐｒｅａｄ  ｓｅｑｕｅｎｃｅ）はさらに該拡散シーケンスを長い拡散符号または拡散コード（例えば、ＰＮコード）によって拡散することによりダイレクトシーケンスコード分割スペクトル拡散送信のために準備される。前記拡散コードは固定のチップレート（例えば、１．２２８メガチップ／秒）で出力されるユーザ特定のシーケンスのシンボルまたは独自のユーザコードである。デジタル無線チャネル１０８によってどのユーザが符号化されたトラフィックチャネルのデータビット２０２を送信したかに関しての識別を提供することに加えて、前記独自のユーザコードは符号化されたトラフィックチャネルのデータビット２０２をスクランブルすることにより通信チャネルにおける通信の保安性を増強する。さらに、前記ユーザコード拡散符号化データビット（すなわち、データシンボル）はシヌソイド（ｓｉｎｕｓｏｉｄ）の位相制御をドライブすることによってシヌソイドをバイフェーズ変調する（ｂｉ−ｐｈａｓｅ  ｍｏｄｕｌａｔｅ）ために使用される。該シヌソイド出力信号はバンドパスろ波され、ＲＦ周波数に変換され、増幅され、ろ波されかつアンテナ２１８によって放射されて２進位相シフトキード（ＢＰＳＫ）変調を備えたデジタル無線チャネル１０８におけるトラフィックチャネルのデータビット２０２の送信を完了させる。
ベースステーション受信機２０３の受信部分２２２は前記送信されたスペクトル拡散信号をアンテナ２２４を通してデジタル無線チャネル１０８から受信する。受信された信号は受信機のフロントエンド２２１に入力され、該フロントエンド２２１は前記デジタル無線チャネル１０８をサンプリングに適した信号へとダウンコンバートするための回路を含む。受信機フロントエンド２２１の出力はデスプレッダおよびサンプラ（ｄｅｓｐｒｅａｄｅｒ  ａｎｄ  ｓａｍｐｌｅｒ）２２６によりデータサンプルへとサンプリングされる。その後、データサンプル２４２は通信システムのデコード部分２５４へと出力される。
前記デスプレッダおよびサンプラ２２６は好ましくは受信されたスペクトル拡散信号をろ波し、復調し、ＲＦ周波数から変換し、かつ所定のレート（例えば、１．２２８８メガサンプル／秒）でサンプリングすることによりＢＰＳＫサンプルする。その後、ＢＰＳＫサンプルされた信号は受信されサンプルされた信号を長い拡散コードと相関することにより逆拡散される。結果として得られる逆拡散された、サンプルされた信号２２８は所定のレートでサンプリングされかつノンコヒーレント検出器（ｎｏｎ−ｃｏｈｅｒｅｎｔ  ｄｅｔｅｃｔｏｒ）２４０へと出力され（例えば、３０７．２キロサンプル／秒であり、従って受信されたスペクトル拡散信号の４つのサンプルのシーケンスが逆拡散されおよび／または単一のデータサンプルで表わされる）後にデータサンプル２４２のノンコヒーレント検出が行われる。
当業者に理解されるように、複数の受信部分２２２〜２２３および、それぞれ、アンテナ２２４〜２２５は空間ダイバシティを達成するために使用できる。Ｎ番目の受信機部分は上に述べた受信部分２２２と実質的に同様に動作してデジタル無線チャネル１０８における受信されたスペクトル拡散信号からデータサンプルを取り出す。Ｎの受信部分の出力２４２〜２５２は好ましくは加算器２５０に入力され、該加算器２５０は入力データサンプルをコヒーレントに検出されたデータサンプルの複合ストリーム２６０へとダイバシティ結合する。
ソフト決定データを形成する個々のデータサンプル２６０は次にデコード部２５４に入力され、該デコード部２５４は前記入力ソフト決定データ２６０を個々のデータレベルでデインタリーブまたはインタリーブ解除する（ｄｅｉｎｔｅｒｌｅａｖｅｓ）デインタリーバ２６２を含む。デインタリーバ２６２においては、ソフト決定データ２６０は個々に所定のサイズブロックのソフト決定データを規定するマトリクスへと入力される。ソフト決定データは該マトリクス内のロケーションに該マトリクスが行またはローごとの様式で充填されるように入力される。デインタリーブされたソフト決定データ２６４は前記マトリクス内のロケーションから前記マトリクスが列またはコラムごとの様式で空にされるように個々に出力される。デインタリーブされたソフト決定データ２６４はそれらが入力されたのと同じレートでデインタリーバ２６２によって出力される（例えば、２８．８キロシンボル／秒）。
前記マトリクスによって規定されるソフト決定データのブロックの所定のサイズは前記所定の長さの送信ブロック内で受信されたスペクトル拡散信号からのデータサンプルをサンプリングする最大レートから得られる。
デインタリーブされたソフト決定データ２６４はデコーダ２６６へと入力され、該デコーダ２６６は最尤デコード技術（ｍａｘｉｍｕｍ  ｌｉｋｅｌｉｈｏｏｄ  ｄｅｃｏｄｉｎｇ  ｔｅｃｈｎｉｑｕｅｓ）を使用して推定されたトラフィックチャネルのデータビット２６８を発生する。最尤デコード技術はビタビ（Ｖｉｔｅｒｂｉ）デコードアルゴリズムと実質的に同様のアルゴリズムを使用することによって強化することができる。デコーダ２６６は個々のソフト決定データ２６４のグループを使用して前記最尤シーケンス推定または評価デコーダ２６６の各々の特定の時間状態において使用するために１組のソフト決定遷移メトリック（ｓｏｆｔ  ｄｅｃｉｓｉｏｎ  ｔｒａｎｓｉｔｉｏｎ  ｍｅｔｒｉｃｓ）を形成する。各々の組のソフト決定遷移メトリックを形成するために使用される前記グループにおけるソフト決定データ２６４の数は各々の入力データビット２０２から発生されたたたみ込みエンコーダ２０４の出力におけるデータシンボル２０６の数に対応する。各々の組のソフト決定遷移メトリックの数は２の各グループにおけるソフト決定データ２６４の数の累乗に等しい。例えば、送信機において１／３のたたみ込みエンコーダが使用された場合、３つのデータシンボル１０５が各入力データビット２０２から発生される。したがって、デコーダ２６６は３つの個々のソフト決定データ２６４のグループを使用して最尤シーケンス推定デコーダ２６６における各々の時間状態（ｔｉｍｅ  ｓｔａｔｅ）において使用するために８つのソフト決定遷移メトリックを形成する。前記推定されたトラフィックチャネルのデータビット２６８は前記ソフト決定データ２６４がデコーダ２６６に入力されるレートおよび始めに入力データビット２０２を符号化するために使用された固定レートに関連するレートで発生される（例えば、もしソフト決定データが２８．８キロメトリック／秒で入力されかつ元の符号化レートが１／３であれば、推定されたトラフィックチャネルのデータビット２６８は９６００ビット／秒のレートで出力される）。
前記推定されたトラフィックチャネルのデータビット２６８は、μＰ２０７と同様の、μＰ２７０へと入力される。μＰ２０７の場合と同様に、μＰ２７０は関連機能２７２で示されたブロックに結合され、このブロックもまた呼処理、リンク確立を含む機能、および無線通信を確立しかつ維持することに関連する他の一般的な機能を達成する。μＰ２７０はまたはインタフェース２７４に結合され、該インタフェース２７４はベースステーション１０３の受信機２０３がＣＢＳＣ１１３と通信できるようにする。
図３は、概略的にＣＤＭＡ移動ステーション１０５の受信機３０３と通信するＣＤＭＡベースステーション１０１〜１０３のいずれか１つの送信機３００を示している。本通信システムの符号化部分３０１においては、トラフィックチャネルのデータビット３０２はμＰ３０５から出力され、かつ特定のビットレート（例えば、９．６キロビット／秒）でエンコーダ３０４へ入力される。μＰ３０５は関連機能（ｒｅｌａｔｅｄ  ｆｕｎｃｔｉｏｎｓ）３０７で示されたブロックに結合され、該ブロックは図２のブロック２０７および２７２と同様の無線に関連する機能を行なう。μＰ３０５はまたインタフェース３０９に結合され、該インタフェース３０９はベースステーション１０２の送信機３００がＣＢＳＣ１１４と通信できるようにする。
前記トラフィックチャネルのデータビット３０２はボコーダによりデータに変換された音声、純粋のデータ、または２つの形式のデータの組合わせを含むことができる。エンコーダ３０４は前記トラフィックチャネルのデータビット３０２を固定された符号化レート（１／ｒ）でデータシンボル３０６へと、データビットへの該データシンボルのその後の最尤デコードを可能にする符号化アルゴリズムによって符号化する（例えば、たたみ込みまたはブロック符号化アルゴリズム）。例えば、エンコーダ３０４はトラフィックチャネルのデータビット３０２（例えば、９．６キロビット／秒のレートで受信された１９２の入力データビット）を２つのデータシンボルに対して１つのデータビットの固定された符号化レート（すなわち、１／２）で符号化し、したがってエンコーダ３０４がデータシンボル３０６を出力するようにする（例えば、１９．２キロシンボル／秒のレートで３８４のデータシンボルの出力）。
該データシンボル３０６は次にインタリーバ３０８に入力される。インタリーバ３０８は該データシンボル３０６をブロック（すなわち、フレーム）へと編成しかつ入力データシンボル３０６をシンボルレベルでブロックインタリーブする。インタリーバ３０８においては、前記データシンボルは個々に所定のサイズブロックのデータシンボルを規定するマトリクスへと入力される。前記データシンボルはマトリクス内のロケーションへ該マトリクスがコラムまたは列ごとの様式で充填されるように入力される。前記データシンボルは該マトリクス内のロケーションから個々に該マトリクスが行またはローごとの様式で空になるように出力される。典型的には該マトリクスは列の数に等しい行の数を有する正方行列（ｓｑｕａｒｅ  ｍａｔｒｉｘ）であるが、引き続き入力されるインタリーブされないデータシンボルの間の出力インタリーブ距離を増大するために他のマトリクス形式を選択することもできる。インタリーブされたデータシンボル３１０はインタリーバ３０８によってそれらが入力されたのと同じデータシンボルレート（例えば、１９．２キロシンボル／秒）で出力される。前記マトリクスによって規定されるデータシンボルのブロックの所定のサイズは所定の長さの送信ブロック内の符号化ビットレートで送信できるデータシンボルの最大数から得られる。例えば、もしデータシンボル３０６がエンコーダ３０４から１９．２キロシンボル／秒のレートで出力されれば、かつもし前記伝送ブロックの所定の長さが２０ミリセカンドであれば、前記データシンボルのブロックの所定のサイズは１９．２キロシンボル／秒の２０ミリセカンド（ｍｓ）倍であり、これは１８×３２のマトリクスを規定する３８４のデータシンボルに等しい。
前記符号化された、インタリーブされたデータシンボル３１０は通信システムの符号化部分３０１から出力されかつ該通信システムの送信部分３１６に入力される。データシンボル３１０は変調器３１７によって通信チャネルによる送信のために準備される。その後、変調された信号はデジタル無線チャネル１０８による送信のためにアンテナ３１８に提供される。
変調器３１７は前記符号化された、インタリーブされたデータシンボル３１０に関してデータスクランブルを行なうことによりダイレクトシーケンス符号分割スペクトル拡散送信のためにデータシンボル３１０を準備する。データスクランブルはそのシンボルに対する送信期間の始めにおいて有効であるロングコード（ｌｏｎｇ  ｃｏｄｅ）擬似ノイズＰＮチップの２進値によってインタリーバの出力シンボル３１０のモジュロ２加算（ｍｏｄｕｌｏ−２  ａｄｄｉｔｉｏｎ）を行なうことにより達成される。この擬似ノイズＰＮシーケンスは１．２２８８ＭＨｚのクロックレートで動作するロングコードの等価物であり、この場合６４ごとの内の最初の出力のみがデータスクランブルのために使用される（すなわち、毎秒１９２００サンプルのレートで）。
スクランブルの後に、スクランブルされたデータシンボルからの一連の固定長さのコードが拡散プロセスにおいて得られる。例えば、スクランブルされたデータシンボルのストリーム内の各データシンボルは好ましくは独自の固定長さのコードへと拡散され、したがって各データシンボルが単一の６４ビット長さのコードで表わされるようにすることができる。データシンボルを表わすコードは好ましくはそれぞれのデータシンボルに対しモジュロ２加算される。この拡散プロセスの結果として、符号化された、インタリーブされたデータシンボル３１０を固定レート（例えば、１９．２キロシンボル／秒）で受信した変調器３１７は今やより高い固定シンボルレート（例えば、１２２８．８キロシンボル／秒）を有する６４ビット長さのコードの拡散シーケンスを有することになる。当業者には符号化された、インタリーブされたデータビットのストリーム内のデータシンボルは数多くの他のアルゴリズムにしたがって本発明の範囲および精神から離れることなく一連のより大きな長さのコードへと拡散できることが理解されるであろう。
前記拡散シーケンスはさらに前記拡散シーケンスをロングまたは長い拡散コード（例えば、ＰＮコード）によって拡散することによりダイレクトシーケンス符号分割スペクトル拡散送信のために準備される。この拡散コードは固定チップレート（例えば、１．２２８８メガチップ／秒）で出力されるユーザ特定のシンボルのシーケンスまたは独自のユーザコードである。どのユーザがデジタル無線チャネル３０８によって符号化されたトラフィックチャネルのデータビット３０２を送信したかに関する識別を与えることに加えて、前記独自のユーザコードは符号化されたトラフィックチャネルのデータビット３０２をスクランブルすることにより通信チャネルにおける通信の保安性を増強する。さらに、前記ユーザコード拡散符号化データビット（すなわち、データシンボル）はシヌソイドを該シヌソイドの位相制御をドライブすることによりバイフェーズ変調（ｂｉ−ｐｈａｓｅ  ｍｏｄｕｌａｔｅ）するために使用される。シヌソイド出力信号はバンドパスろ波され、ＲＦ周波数に変換され、増幅され、ろ波されかつアンテナ３１８によって放射されてＢＰＳＫ変調を備えたデジタル無線チャネル１０８におけるトラフィックチャネルのデータビット３０２の送信を完了する。
ＣＤＭＡ無線通信システムが現存する無線通信システム（例えば、ＡＭＰＳ無線通信システム）の上に重ねるまたはオーバレイする（ｏｖｅｒｌａｙ）よう設計される場合、その配備から生じ得るシステム間干渉を予期しかつ最小にすることが必要である。いくつかの有り得るシステム間干渉メカニズムがあるが、支配的な問題はＣＤＭＡ移動ステーション１０５の通過帯域の内側に現われる望ましくない信号を生成するＣＤＭＡ移動ステーション１０５のフロントエンドにおいてミキシングする強いＡＭＰＳベースステーション送信から生じる妨害積（ｉｎｔｅｒｆｅｒｅｎｃｅ  ｐｒｏｄｕｃｔ）である。
さらに図３を参照すると、移動ステーション受信機３０３の受信部分３２２はアンテナ３２４を通してデジタル無線チャネル１０８から送信されたスペクトル拡散信号を受信する。好ましい実施形態では、受信機３０３は技術的に良く知られたレーキ（ＲＡＫＥ）受信機である。受信された信号は受信機のフロントエンド３２１へと入力され、該フロントエンド３２１は前記デジタル無線チャネル１０８をサンプリングに適した信号へとダウンコンバートする回路を含んでいる。受信機フロントエンド３２１はまた上に述べたＡＭＰＳ妨害の影響を軽減するために使用される減衰器３２７（図示せず）を含む。技術的に良く知られているように、受信機３０３のフロントエンド３２１に配置された減衰器３２７は減衰の対応する量だけ所望の（ＣＤＭＡ）信号を低減するが、受信機２００において発生される望ましくないＩＭ積を減衰の量の３倍低減する。したがって、減衰器を選択的にイネーブルしかつディスエーブルすることにより、妨害となるＭＡＰＳ信号の影響は呼品質が改善されかつ呼がとだえる（ｄｒｏｐｐｉｎｇ）可能性を大幅に減少するポイントまで軽減される。
さらに図３を参照すると、受信機フロントエンド３２１の出力はデスプレッダおよびサンプラ（ｄｅｓｐｒｅａｄｅｒ  ａｎｄ  ｓａｍｐｌｅｒ）３２６によりデータサンプルへとサンプリングされる。その後、データサンプル３２４は通信システムのデコード部分３５４へと出力される。前記デスプレッダおよびサンプラ（または逆拡散器およびサンプル装置）３２６は好ましくは受信されたスペクトル拡散信号をろ波し、復調し、ＲＦ周波数から変換し、かつ所定のレート（例えば、１．２２８８メガサンプル／秒）でサンプリングすることによりＢＰＳＫサンプリングするのが好ましい。その後、ＢＰＳＫサンプルされた信号は受信されたサンプルされた信号を前記長い拡散コードで相関することにより逆拡散される。結果として得られる逆拡散されたサンプルされた信号３２８は所定のレートでサンプリングされかつデータサンプル３４２のノンコヒーレント検出のためにノンコヒーレント検出器３４０へと出力される（例えば、受信されたスペクトル拡散信号の６４サンプルのシーケンスが逆拡散されおよび／または単一のデータサンプルで表わされるように１９．２キロサンプル／秒）。
当業者に理解されるように、複数の受信部分３２２〜３２３およびアンテナ３２４〜３２５はそれぞれ空間ダイバシティを達成するために使用できる。Ｎ番目の受信機部分はデジタル無線チャネル３２０において受信されたスペクトル拡散信号からデータサンプルを取り出すために上に述べた受信部分３２２と実質的に同様に動作する。Ｎの受信部分の出力３４２〜３５２は好ましくは加算器３５０へと入力され、該加算器３５０は該入力データサンプルをコヒーレントに検出されるデータサンプル３６０の複合ストリームへとダイバシティ結合する。
ソフト決定データを形成する個々のデータサンプル３６０は次に個々のデータレベルで入力ソフト決定データ３６０をデインタリーブまたはインタリーブ解除するデインタリーバ３６２を含むデコード部分３５４へと入力される。デインタリーバ３６２においては、前記ソフト決定データ３６０は個々にソフト決定データの所定のサイズブロックを規定するマトリクスへと入力される。前記ソフト決定データは前記マトリクスが行ごとの様式で充填されるように該マトリクス内のロケーションへ入力される。デインタリーブされたソフト決定データ３６４は前記マトリクスが列ごとの様式で空にされるように前記マトリクス内のロケーションから個々に出力される。デインタリーブされたソフト決定データ３６４はそれらが入力されたのと同じレートで（例えば、１９．２キロメトリック／秒）デインタリーバ３６２によって出力される。
前記マトリクスによって規定されるソフト決定データのブロックの所定のサイズは所定の長さの送信ブロック内で受信されるスペクトル拡散信号からのデータサンプルをサンプリングする最大レートから得られる。
前記デインタリーブされたソフト決定データ３６４は推定または計算されたトラフィックチャネルのデータビット３６８を発生するために最尤デコード技術を使用するデコーダ３６６へと入力される。最尤デコード技術はビタビ（Ｖｉｔｅｒｂｉ）デコードアルゴリズムと実質的に同様のアルゴリズムを使用することによって強化することができる。デコーダ３６６は１群の個々のソフト決定データ３６４を使用して前記最尤シーケンス推定デコーダ３６６の各々の特定の時間状態で使用するために１組のソフト決定遷移メトリックを形成する。各々の組のソフト決定遷移メトリックを形成するために使用されるグループにおけるソフト決定データ３６４の数は各々の入力データビット３０２から発生されるたたみ込みエンコーダ３０４の出力におけるデータシンボル３０６の数に対応する。各々の組におけるソフト決定遷移メトリックの数は２を各グループにおけるソフト決定データ３６４の数で累乗したものに等しい。例えば、送信機において１／２たたみ込みエンコーダが使用された場合、各入力データビット３０２から２つのデータシンボル３０６が発生される。したがって、デコーダ３６６は２つの個々のソフト決定データ３６４のグループを使用して最尤シーケンス推定デコーダ３６６において各時間状態において使用するために２つのソフト決定遷移メトリックを形成する。前記推定されたトラフィックチャネルのデータビット３６８はソフト決定データ３６４がデコーダ３６６へと入力されるレートおよび入力データビット３０２を始めに符号化するために使用された固定レートに関連するレートで発生される（例えば、もしソフト決定データが１９．２キロメトリック／秒で入力されかつ元の符号化レートが１／２であれば、推定されたトラフィックチャネルのデータビット３６８は９６００ビット／秒のレートで出力される）。推定されたトラフィックチャネルのデータビット３６８は前記推定されたトラフィックチャネルのデータビット３６８および他のフィールドを解釈するμＰ３７０へと入力される。μＰ３７０はまた制御ライン３７１を介してフロントエンド３２１に結合される。ベースステーション１０２からのコマンドに基づき、μＰ３７０は本発明にしたがって減衰器３２７をイネーブルし／ディスエーブルする。μＰ３７０はさらに関連機能部３７２に結合され、該関連機能部３７２はブロック２０７，２７２および３０７によって行なわれるものと同様の無線に関連する機能を行なう。
本発明にしたがって改善されたシステム制御を実施するため、パラメータメッシュ（ｐａｒａｍｅｔｅｒ  ｍｅｓｈｅｓ）の計算が始めに図１のコントローラ１１３において行なわれる。パラメータメッシュは単に注目の領域上のグリッドの各々のｘ，ｙ座標における通信システムに関連する特定のパラメータの計算にすぎない。これは図４に見ることができ、そこでは注目の領域がポイントｘｓ，ｙｓによって規定されている。好ましい実施形態では、前記パラメータメッシュは数多くの異なる条件に対して領域全体にわたり反復して計算されてメッシュセット（ｍｅｓｈ  ｓｅｔ）を形成し、該メッシュセットは後に説明するように本発明にしたがって改善されたシステム制御を行なうために使用することができる。
この時点で本発明にしたがってコントローラ１１３によって計算できるパラメータの種別の簡単な概要を与えるのが有益である。
順方向リンク（ベースステーション−移動ステーション）電力要求
このメッシュは、とりわけ、移動ステーションの速度、遅延広がり、可能性あるハンドオフ接続（以後、「条件（ｔｈｅ  ｃｏｎｄｉｔｉｏｎｓ）」と称する）を考慮して、図４においてｘｍ，ｙｍとして示された、移動ステーションの頂点（ｖｅｒｔｅｘ）における移動ステーションに対してサービスを行なっているセルから送信するのに必要とされる電力を計算する。この電力はフレーム消去率（ｆｒａｍｅ  ｅｒａｓｕｒｅ  ｒａｔｅ：ＦＥＲ）に関して所定の音声品質により決定される。これらのフレーム消去率はまたシステムの無線リンクのコンピュータによる特性づけ（ｃｈａｒａｃｔｅｒｉｚａｔｉｏｎ）または研究室における特性づけにより予め決定される。それは所望の品質でリンクを閉じるために必要とされる電力であるから、それはまた何らかの物理的制約（ベースステーションにおける電力増幅器、またはＰＡ、のサイズまたは各トラフィックチャネルの送信電力に関する制限など）に関するシステムにおける各々のかつあらゆるポイントに対するマージンを決定するためにも使用できる。例えば、要求される電力は８ワット（Ｗ）であるかもしれず、もしトラフィックチャネルの電力を２Ｗに制限することが計画されていれば、必要な電力は前記制限に対して６ｄＢ上である。
逆方向リンク（移動ステーション−ベースステーション）電力要求
前記条件に基づく、順方向電力要求メッシュと同じ考え方である。それは要求される電力であるから、それは、以下に説明するように、任意のサイズのＰＡに対して事後的に（ａｆｔｅｒ  ｔｈｅ  ｆａｃｔ）適用できる。
有用なパイロット信号の数
有用なパイロットメッシュの数は、前記条件の下で、前記メッシュの各頂点において有用である（すなわち、ソフトハンドオフのために使用できる）パイロットの数（各セクタから１つが可能である）を評価する。このパラメータは前記ＩＳ−９５量Ｅｃ／Ｉｏを計算しかつ、もしそれがプリセットされたしきい値をパスすれば、それをカウントすることによって決定される。このようにして、前記メッシュにおける値は与えられたロケーションで持つことができた接続の数を表わしかつ移動ステーションが実際に可能な接続の数に関係のない整数である。実際に、もし移動ステーションが処理できるより多くのパイロットが有用であれば、これは厄介なことになる可能性がある。
最善のパイロット信号としても知られたＥｃ／Ｉｏ
このメッシュは前記条件を考慮して、各々のロケーションにおけるＥｃ／Ｉｏ項において最善のものとなるよう決定されるパイロットのＥｃ／Ｉｏの計算を保持する。良好なパイロットは良好な順方向リンク通信のために必須のものであり、かつこのメッシュは良好なパイロットを受信することが可能であるか否かを示す。良好なものは、他のメッシュの場合におけるように、後に課されることができ、それはこのメッシュはどのような値でも保持するからである。
当業者が理解するように、数多くの他のパラメータメッシュをＣＤＭＡ通信システム１００のより良い理解を得るために作成することができる。これらのメッシュに関連するパラメータは、それらに限定されるものではないが、隣接セルの受信電力の間の均衡を記述する負荷不均衡（ｌｏａｄ  ｉｍｂａｌａｎｃｅ）、順方向リンクに関する使用可能でないセル電力に対する相対的な使用可能なまたは有用なセル電力（ｒｅｌａｔｉｖｅ  ｕｓａｂｌｅ  ｔｏ  ｎｏｎ−ｕｓａｂｌｅ  ｃｅｌｌ  ｐｏｗｅｒ）、およびページングチャネルの性能を含む。前記使用不能なセル電力に対する相対的な使用可能なセル電力は移動ステーションによって回復または再生可能な移動ステーションのアンテナにおいて測定した合計セル（システムにおける全てのセル）電力の一部またはフラクション（ｆｒａｃｔｉｏｎ）を記述する（総合セル電力にシステムにおけるセルによって生成されない全ての他のノイズおよび妨害を加えたものに関して）。前記使用可能でないセル電力に対する相対的使用可能セル電力は変数“ｉｏｒｉｏｃ”によって規定される。
前記メッシュを計算する方法はスペースまたは空間エポック（ｓｐａｃｅ  ｅｐｏｃｈ）または時間エポック（ｔｉｍｅ  ｅｐｏｃｈ）方法が使用される場合に同じである。
スペースエポック
スペースエポックは試験中のシステムにおける移動ステーション（例えば、移動ステーション１０５）および複数のベースステーション（例えば、ベースステーション１０１〜１０３）を有しかつ全ての他のトラフィックチャネルおよび多数の他の物理的パラメータに照らして各々の順方向リンクおよび各々の逆方向リンクのトラフィックチャネルをその最善の値の平均送信電力にするためにコントローラ１１３において相互作用的計算を行なうものとして定義される。その計算を終了すると、通信システム１００はその移動ステーションおよびベースステーションの空間的構成に対して安定化されたと考えられる。
次に、スペースエポックメッシュが該メッシュの各頂点にもう１つだけの移動ステーション（これはいずれにしてもシステムに影響を与えない）を配置することを仮定または推測しかつ、その頂点における遅延広がりおよび移動ステーションに対する報告された速度に照らして、全てのシステムノイズ、最もよくサービスを行なうベースステーション、またはソフトハンドオフに遭遇すればベースステーション、を考慮して各ポイントにおいて注目のパラメータを計算することにより計算される。提供者またはプロバイダ（ｐｒｏｖｉｄｅｒ）のシステムカバレージ領域上に重ねられたグリッドの各々のｘ，ｙロケーションに対して、コントローラ１１３は図５に示されるステップを行なう。始めに、コントローラ１１３は、ステップ５０３において、全てのセルからの総合の順方向リンク妨害（Ｉｔ）を決定しかつ次に、ステップ５０６において、他の競合するシステムからの妨害および／またはノンプロバイダのノイズソース（Ｉｎｐ）を決定しそれらの影響を軽減するために移動ステーションの調整（例えば、競合するシステムの妨害による相互変調ひずみを軽減するために移動ステーションの受信機のフロントエンドにおける減衰）を行なうことができるようにしてＩｔ′＝Ｉｔ＋Ｉｎｐで表わされる総合妨害を生成する。
コントローラ１１３は次に、ステップ５０９において、以下に示されるような遅延広がりによるチャネルモデル（サーバおよび遠隔ユニットの間の信号パスの数）を決定する。
fng＿frc＿fwd[0,i]＝セルｉに対応する最も強い信号経路またはパスに対する移動ステーションフィンガによって（移動ステーションのアンテナに関して）回復された総合電力のフラクションまたはＦＲＰ、
fng＿frc＿fwd[1,i]＝第２の最も強い信号パスに対して移動ステーションフィンガによって（移動ステーションのアンテナに関して）回復された総合電力のフラクション、
fng＿frc＿fwd[n,i]＝ｎ番目の最も強い信号パスに対して移動ステーションによって（移動ステーションのアンテナに関して）回復された総合電力のフラクション。
ここで規定されるように、ｎの最も強い信号または順方向リンクが対応する異なるセルの数は順方向リンクの数に等しい。セルまたはセクタは（上で述べた）ＩＳ−９５Ａに関して明確なパイロットＰＮオフセットを備えて規定される。
コントローラ１１３は次に、ステップ５１２において、各々のセルｉからの各々の順方向信号パスに対してパイロットＥｃ／Ｎｏ（ｐｉｌｏｔ＿ｅｃｉｏ）およびパイロットＥｃ／Ｎｏ（ｍｅｔ）を計算する。この場合、
Dr＝NoWmt+Itは移動ステーションのアンテナにおける総合妨害でありかつＮｏＷｍｔは遠隔ユニットの受信機による実効サーマルノイズであり、
EcIo＿flat(i)＝(Ppilot(i)/Dr)は移動ステーションのアンテナで測定したセルｉに対するＦＲＰに関連しない最も強いパイロットＥｃ／Ｉｏであり、
EcIo(i)＝(fng＿frc＿fwd[0,i]＊EcIo＿flat(i))は、ＦＲＰに関連するセルｉに対する最も強いパイロットＥ／Ｉｏであり、
pilot＿ecio[i]＝EcIo(i)はセルｉに対する最も強いＥｃ／Ｉｏパスであり、
pilot＿ecio1[i]＝EcIo＿flat(i)＊fng＿frc＿fwd[1,i];
pilot＿ecio2[i]＝EcIo＿flat(i)＊fng＿frc＿fwd[2,i];
Dra＝It-fng＿frc＿fwd[0,i]＊Pcell(i)+NoWmt
Ｐｃｅｌｌ（ｉ）はセルｉのみからの移動ステーションのアンテナにおける受信電力である。他の変数は次のように定義される。
Drb＝It-fng＿frc−fwd[1,i]＊Pcell(i)+NoWmt;
Drc＝It-fng＿frc−fwd[2,i]＊Pcell(i)+NoWmt;
met[i]＝fng＿frc＿fwd[0,i]＊Ppilot(i)/Dra;
met1[i]＝fng＿frc＿fwd[1,i]＊Ppilot(i)/Drb;
met2[i]＝fng＿frc＿fwd[2,i]＊Ppilot(i)/Drc;
Ｐｐｉｌｏｔ（ｉ）は移動ステーションのアンテナにおいて測定されたセルｉから受信されたパイロット電力である。
このポイントで、コントローラ１１３は、ステップ５１５において、前記計算されたＥｃ／Ｉｏがしきい値（典型的には−１２〜−２０ｄＢの範囲にある）より上か否かを調べる。もしステップ５１５のテストの結果が負であれば、処理はステップ５１８に流れ、そこでパイロットは移動ステーションに対して有用でないものと考えられる。もしステップ５１５におけるテストの結果が正であれば、コントローラ１１３は任意のしきい値より上のパイロットＥｃ／Ｉｏを備えたセルの数をカウントしかつこの量をステップ５２１において「有用なパイロットの数（ｎｕｍｂｅｒ  ｏｆ  ｕｓｅｆｕｌ  ｐｉｌｏｔｓ）」メッシュを生成するためにセーブする。上の式に基づき、コントローラ１１３は次に最大のパイロットＥｃ／Ｉｏ信号経路を備えたセルを決定しかつこの量を最善のサーバメッシュを生成するためにセーブする。あるいは、コントローラ１１３は逆方向リンクＥｂ／Ｎｏを計算しかつこの量を該逆方向リンクに対する最善のサーバメッシュを生成するためにセーブする。
この時点で、コントローラ１１３は、ステップ５２４において、最大のパイロット信号Ｅｃ／Ｉｏのパスまたは経路を決定しかつこの量を「最善のパイロット信号−Ｅｃ／Ｉｏ」メッシュを作成するためにセーブする。順方向信号パスの数（各々の有用なパイロットは遅延広がりによりそれに関連するｋの信号パスを持つことができる）およびそれらのそれぞれの信号強度が与えられれば、コントローラ１１３は、ステップ５２７において、上位ｎを選択する。コントローラ１１３は、移動ステーション１０５において利用可能な復調器（フィンガ）の数が与えられて、ステップ５２７において、移動ステーションの速度、“ｉｏｒｉｏｃ”（前に述べた）および利用可能な信号経路へフィンガを首尾よく割当てる上での制約に関連して受け入れ可能なフレーム消去（品質）レベルを達成するために必要とされる各々のセルからの要求される順方向リンク電力レベルを計算する。
上の情報により、コントローラ１１３はパイロットＥｃ／Ｉｏに関して上位ｎの信号パスを選択し、この場合ｎは移動ステーションにおいて利用可能な復調器（フィンガ）の数に等しい。好ましい実施形態では、ｎ＝３である。この情報から、以下の変数が決定される。
ecio＿0＝セルｋからの最も強いパス（ｅ）のパイロットＥｃ／Ｉｏ、
ecio＿1＝セル１からの第２の最も強いパス（ｆ）のパイロットＥｃ／Ｉｏ、
ecio＿2＝セルｍからの第３に最も強いパス（ｇ）のパイロットＥｃ／Ｉｏ、
speed＝移動ステーションの速度、
MaxPilot＝移動ステーションのアンテナで測定した最も大きなパイロット信号のパスに対応するＥｃ／Ｉｏレベル（最大のＥｃ／Ｉｏ）、そして
iorioc＝フィンガが割当て可能な最も強いパスに対する移動ステーションアンテナにおいて測定した使用可能なセルの電力の合計（Ｉｓ＿ｔｏｔ）を、移動ステーションのアンテナにおける総合受信電力（Ｉｔｏｔ）マイナスＩｓ＿ｔｏｔの合計で除算したもの。
移動ステーションが３つのフィンガを有しかつ使用可能な少なくとも３つのフィンガがあり（すなわち、フィンガは信号パスの強度がＥｃ／Ｉｏに関して充分大きいため割当てできる）、それらに対する順方向信号パスがセル（ｋ，ｌ，ｍ）に対応する３つの最も強い（ｅ，ｆ，ｇ）が選択されれば、
Is0[k]＝fng＿frc＿fwd[e,k]＊Pcell(K);
Is1[l]＝fng＿frc＿fwd[f,l]＊Pcell(l);
Is2[m]＝fng＿frc＿fwd[g,m]＊Pcell(m);
Is＿tot＝Is0[k]+Is1[l]+Is2[m];
iorioc＝Is＿tot/(Itot-Is＿tot);
EbNo＿tgt＝f(MaxPilot,ecio＿0/ecio＿1,ecio＿1/ecio＿2,speed,iorioc, 所望のフレーム品質レベル）であり、ｆ（）は上のパラメータによってインデクスされるＥｂ／Ｎｏルックアップテーブルとすることができ、
Ptarget＿fwd＝MaxPilot＊EbNo＿tgt/(met[e,k]+met[f,l]+met[g,m])は各々の順方向パスに対する要求される順方向電力である。
この構成は全ての順方向パスが等しい送信（音声またはトラフィックチャネル）電力−パイロット電力比を有するものと仮定していることに注意を要する。
次にコントローラ１１３は、ステップ５３０において、セルによって異なり得る許容される最小および最大レベルに基づき各セルの順方向リンク電力（Ｐｔａｒｇｅｔ＿ｆｗｄ）を制限する。コントローラ１１３は次に前記Ｐｔａｒｇｅｔ＿ｆｗｄを各々のｘ，ｙに対してセーブし、これもまたステップ５３０において順方向電力メッシュを作成する。
異なるセルに対応する各々の順方向信号パス（順方向リンク）に対して、コントローラ１１３は次に、ステップ５３３において、移動ステーションが１ミリワット（ｍＷ−Ｐｃｕｒ）で送信しているものと仮定して各々のセルのアンテナのコネクタにおける逆方向信号パスに対応するＥｂ／Ｎｏ（ＥｂＮｏ（ｉｃｄ））を計算する。これらの逆方向信号パスＥｂ／Ｎｏの（ＥｂＮｏ＿ｓｕｍ）は次に、これもまたステップ５３３において、合計される。コントローラ１１３は次に、ステップ５３６において、サービスしているセルにおいてフレームをデコードした後（ＢＴＳ）またはソフトハンドオフの場合に全てのサービスしているセルからのフレームを使用して（ＣＢＳＣ）あるロケーションにおけるポストフレーム選択（ｐｏｓｔ−ｆｒａｍｅ  ｓｅｌｅｃｔｉｏｎ）の後に、所望のフレーム品質レベルを維持するために必要なターゲット（ｔａｒｇｅｔ）Ｅｂ／Ｎｏ（ＥｂＮｏ＿ｒｔａｒ）を達成するのに必要な要求される移動ステーションの送信電力を計算する。一例として、アンテナごとに２つの遅延広がりパスを有するセルｋおよびｌによる２方向（ｔｗｏ−ｗａｙ）ソフトハンドオフの場合を使用すると次のようになる。
EbNo＿sum＝EbNo＿rtch[k11]+EbNo＿rtch[k12]+EbNo＿rtch[k21]+EbNo＿rtch[k22]+EbNo＿rtch[l11]+EbNo＿rtch[l12]+EbNo＿rtch[l21]+EbNo＿rtch[l22]
この場合、
ｉｃｄ＝セルｉに対応するアンテナｃにおける逆方向信号パスｄ、
EbNo＿rtch[icd]＝(fng＿frc＿rev[icd]+fng＿frc＿rev[icd])Pcur(u)T(u,icd)PG/Drr(icd);
Drr(icd)＝NoWc[icd]+Nbackground[icd]+It＿rev[icd];
ＰＧ＝処理利得（ｐｒｏｃｓｓｉｎｇ  ｇａｉｎ）（チップレート／情報レート）、
Ｐｃｕｒ（ｕ）＝移動ステーションのアンテナに関する移動ステーションｕの現行の送信電力（１ｍＷ）、
Ｔ（ｕ，ｉｃｄ）＝信号パスｄに対する移動ステーションｕとセルｉのアンテナｃの間の送信利得、
Ｉｔ＿ｒｅｖ［ｉｃｄ］＝システムにおける全ての他の移動ステーションによる総合妨害プラスセルｉのアンテナコネクタｃで測定したノイズ（サーマルおよびノンＣＤＭＡ）、
ｆｎｇ＿ｆｒｃ＿ｒｅｖ［ｉｃｄ］＝信号パスｄに対するセルの復調器（フィンガ）によって（サービスしているセルｉのアンテナコネクタｃに関する）回復された総合電力のフラクションまたはＦＲＰ、
ＮｏＷｃ［ｉｃｄ］＝アンテナｃに関するサービスしているセルｉの受信機によるサーマルノイズ電力、
Ｎｂａｃｋｇｒｏｕｎｄ［ｉｃｄ］＝ノンＣＤＭＡソースによるノイズ（例えば、人工ノイズまたはアナログ妨害）、
ＥｂＮｏ＿ｔｇｔ＝ｈ（所望のフレーム品質、速度：ｓｐｅｅｄ、１００Ｗ）、
ＥｂＮｏ＿ｔｇｔ２＝ｈ（所望のフレーム品質、速度：ｓｐｅｅｄ、電力空き高：ｐｏｗｅｒ  ｈｅａｄｒｏｏｍ）、
Ptarget＿rev1(u)＝EbNo＿tgt+Pcur(u)-EbNo＿sum;
power headroom（電力空き高）＝移動ステーションの最大送信電力と要求される送信電力Ｐｔａｒｇｅｔ＿ｒｅｖ１（ｕ）の間の差、そして
Ptarget＿rev2(u)＝EbNo＿tgt2+Pcur(u)-EbNo＿sum.
この時点で、コントローラ１１３は、これもまたステップ５３６において、必要とされる逆方向電力メッシュを生成するための所望のフレーム品質レベル（Ｐｔａｒｇｅｔ＿ｒｅｖ２（ｕ））を達成するのに必要な要求される遠隔ユニットの電力レベルをセーブする。
パラメータメッシュ発生の完了に応じて、全ての移動ステーションは新しいロケーションへ移動されかつ始めに収斂（ｃｏｎｖｅｒｇｅｎｃｅ）、次にメッシュ計算が反復される。これは、各々のパラメータに対して、１組の移動ステーションのロケーションにわたりメッシュセットを作成するが、移動ステーションがそこに位置するか否か、および前記１組の移動ステーションのロケーションにわたりどれだけ多くそれが生じているかにかかわりなく、システムの各ロケーションにおける可能性ある条件（ｐｏｔｅｎｔｉａｌ  ｃｏｎｄｉｔｏｎ）を反映する。各々の組の移動ステーションのロケーションは、あたかも移動ステーションがちょうど注目の領域内へと落とされたかのように、「ドロップ（ｄｒｏｐ）」と称される。
時間エポック（Ｔｉｍｅ  ｅｐｏｃｈ）
メッシュセットが時間エポックにわたり生成されるとき、メッシュ計算自体はまったく同じ方法で行なわれる。相違点は移動ステーションおよびベースステーションにおける送信電力が得られる方法である。この場合、前記送信電力はそれらの最善の平均値に収斂しておらず、時間順次的な電力制御および表現された制御のメッセージングを備えた、システムの実際の時間順次的な進化をモデル化するシミュレーションによって生成される。
前記パラメータメッシュはいくらかの時間インターバルの後に、前記シミュレーションの最小時間分解能から数秒または数分まで計算される。この場合、メッシュの順序が重要である。これらのメッシュセットのメッシュは、１組の移動ステーションのロケーションのみならず、時間の増分によりインデクスされると考えることができる。したがって、特定の注目のパラメータが「悪い（ｂａｄ）」である場合、どれだけしばしばそれが生じているかのみならず、どれだけ長くこのパラメータが悪かったかが知られる。さらに、現実的なシステムの弱点（ｆｌａｗｓ）（例えば、最適でないサイトまたは１組のサイトに接続されること）から計算された、時間エポックのメッシュはこれらのシステムの弱点のノイズの影響を含む。
いったんパラメータメッシュが決定されると、該パラメータを評価する効率的な方法が実施される。パラメータを評価するためにいくつかのメッシュ「ツール（ｔｏｏｌｓ）」を以下に説明する。
単一メッシュツール
もしハードしきい値がセットできれば（例えば、２Ｗ順方向リンク電力）、メッシュセットは各メッシュに対して各々の頂点を調べ、かつ及第／落第またはパス／フェイル基準（ｐａｓｓ／ｆａｉｌ  ｃｒｉｔｅｒｉｏｎ）をセットすることにより処理できる。一例として、もし順方向電力メッシュが使用されかつ時間のどのフラクションで要求される電力は２Ｗを越えるかを知ることが望まれれば、各メッシュを調べることができかつパスする（すなわち、２Ｗより多くを要求する）各メッシュに対しそのメッシュがカウントされる。もしメッシュの内のＮがｘ１，ｙ１におけるある与えられた頂点に対してパスすればかつＭのメッシュがあれば、全体の組にわたり前記基準は頂点ｘ１，ｙ１における時間のＮ／Ｍをパスする。このプロセスが全ての頂点ｘｉ，ｙｊに対して反復され、この場合ｉはメッシュにおけるｘに対するインデクスでありかつｊはｙ対するインデクスである。このようにして、特定のパラメータに対するメッシュセット全体が単一のメッシュに低減され、この場合該メッシュにおける値はある基準をパスする確率を表わす。これは空間または時間エポックからのメッシュに対して等しく良好に行なわれるが、時間メッシュセットは現実の性能に対して付加的な訂正を含むことになる。
もし前記基準が時間のいくらかの所定のフラクションをパスしなければ、このロケーションにおける性能は受け入れ不能と考えられかつコントローラ１１３は動作の間にシステム性能を変えるために行動をとる。順方向リンク計算の場合に、システムの全ての順方向リンクおよび逆方向リンク電力がコントローラ１１３内の所定のパスロスまたは経路損失ファイル（ｐａｔｈｌｏｓｓ  ｆｉｌｅ）内にセーブされる。このファイルは技術的に良く知られているように予め測定されあるいは計算することができる。もしある領域内へ送信するために必要とされる電力が送信電力増幅器（例えば、図３のベースステーション１０２の送信機３００）の能力を越えていれば、その領域に侵入するノイズをコントローラ１１３によって計算することができる。これは、上の計算において示されているように、必要な電力の決定は全てのトラフィックチャネルの電力ならびにシステムにおける全てのベースステーションからの全てのパイロット／ページ／同期チャネル電力を含むからである。システムにおける１つまたはいくつかのベースステーションからのパイロット／ページ／同期チャネル電力を低減することが可能でありかつそれによってカバレージの問題を有する領域におけるノイズを低減できる。ベースステーション送信機からの要求される電力は次に満足すべき接続のために充分な電力を伝達することができるようになる。
電力を低減する方法は次のとおりである。第１に、「満足でない（ｎｏｔ  ｓａｔｉｓｆａｃｔｏｒｙ）」と決定された領域に対する表現における主なノイズ項（ｎｏｉｓｅ  ｔｅｒｍｓ）が検出される。最大のノイズ項を有するベースステーションに対するパイロット／ページ／同期チャネル電力が所定の量、例えば３ｄＢ、だけ低減される。そのような低減を考慮する上で、システム全体を再評価しかつメッシュ計算を反復することにより計算が繰り返される。もし前に満足でないものと考えられた領域が今や満足すべきものと考えられ、かつ（ＡＮＤ）何らの新しい満足でない領域も検出されなければ、あるいはより小さな不満足な領域が生じれば、このことはパイロット／ページ／同期チャネル電力がその瞬間の条件に対して高くセットされすぎたことを示す。このようにして、本発明にしたがって改善されたＣＤＭＡシステム制御が行なわれる。
それらのサイズではなく、領域の重要性も本発明にしたがって考慮される。コントローラ１１３のメモリ内にはセルラシステムのカバレージ領域のマップが配置されている。該マップの各々のサブセクションは全体としてのシステムに対するその相対的な重要性を表わす番号を割当てることができる。例えば、通信システムの所有者の見通しから、繁華街（ｄｏｗｎｔｏｗｎ）領域は墓地の上の領域よりも重要である傾向がある。領域のパラメータメッシュが発生されかつ前記パイロット／ページ／同期チャネル電力を考慮して評価が行なわれた後、受け入れ不能と見なされたかつそれにしたがって変更された（上で説明した）領域が実際上修復された領域より大きいがより重要でないかもしれない。この筋書きにおいては、領域の重要性に基づくシステムへの変更は本発明にしたがって実行される。
ＣＤＭＡ通信システムにおいてカバレージおよび負荷を特性づける前記方法は、とりわけ、システムにおける変化または変更が生じた直後に新しいパラメータメッシュ（またはパラメータメッシュの組）を発生でき、かつシステムの総合的な性能が改善しているかまたは低下しているかを判定するために前記メッシュ（単数または複数）を再評価することにより改善されたシステム制御を提供することに注目することが重要である。したがって、最大のノイズを有する信号に関する電力調整が通信システムの何らかの他の重要な面を悪化させる場合は、次のノイズソースに関する調整が試みられる。問題が修復されあるいは警報がシステムオペレータに再発する問題を報告するまでさらに他のノイズソースの調整が組み合わせて試みられる。前記報告する警報は、メッシュ計算を示しかつ受入れ不能でありかつ修復できない領域を（輝度、色、または他のそのような手段により）目立たせる（ｈｉｇｈｌｉｇｈｔｓ）マップを含む、数多くの形式とすることができる。同様に、ＡＳＣＩＩメッセージがシステムオペレータにひらめかせまたは速報され（ｆｌａｓｈｅｄ）指定された領域における修復できない問題を示すことができる。
システム制御を改善するためにＣＤＭＡ通信システムにおいてカバレージおよび負荷を特性づける他の方法は前記パラメータメッシュにおけるどのベースステーション（単数または複数）がある与えられた領域における最大の順方向リンク電力に寄与するかを評価し、かつ前記計算からそのベースステーションの寄与を除くことである。結果として、妨害を生じているベースステーションからの電力がトラフィックチャネルのノイズから減じられる。もしこれが上に述べたように受入れ不能な領域における問題を修復すれば、コントローラ１１３はその妨害となっているベースステーションに許容される接続の数を制限することができる。ある時間の後に、元の問題の領域の再評価（パラメータメッシュの再発生による）はなんらの問題をも示さないであろう（多分、システムの他の部分からのベースステーション送信の低減による）。この筋書きにおいては、妨害しているベースステーションからのトラフィック接続の数は再び上昇することが許容できる。
同様にして、同じツールは有用な（ｕｓｅｆｕｌ）パイロットメッシュに適用できる。例えば、もしどれだけしばしば有用なパイロットの数が移動ステーションにおける利用可能なレーキ（ＲＡＫＥ）復調フィンガを越えたかを決定することが望まれる。特定の領域におけるパイロットの数が移動ステーション１０５にとって有用なものを越えた場合、付加的なまたは余分の信号は受信機に対してノイズが加えられるのみでありかつ信号品質にとって危害を加えるものである。これに対し、２つのパイロットのみが存在するが、該パイロット信号の１つに関する遅延広がりにより、移動ステーション１０５における３つのフィンガが使用されていることがある。この筋書きでは、さらなる信号は移動ステーションの受信信号品質にとって破壊的なものとなり得る。もしそうなれば、上の例のように、コントローラ１１３はシステムにおける全てのパイロット信号電力、かつしたがって全てのノイズ電力、に気がついているまたは知っている（ｉｓ  ａｗａｒｅ  ｏｆ）。前述のように、他のベースステーションからの総合電力によって表わされる、最大のノイズ信号が決定されかつそのベースステーションのパイロット／ページ／同期チャネル電力が低下される。受入れ不能な性能の（同じまたはより大きな重要性の）他の領域を生じることなくシステムが再評価された後に使用可能なパイロットの数または使用可能な信号対雑音比を変えることにより、ＣＤＭＡシステム制御は本発明にしたがって改善される。
他の例として、逆方向電力メッシュを使用してシステムのある領域からのカバレージが逆方向リンクにおいて受入れ不能か否かが判定できる。これはベースステーション１０２の受信機２０３におけるノイズが移動ステーション１０５の送信機２００によって克服できずかつしたがって適切な接続品質を伝達できない場合に生じ得る。このノイズはベースステーション１０２によってサービスを受けているセルのみでなく、システムのまわりから寄与され得る。コントローラ１１３はシステムにおける各移動ステーションのロケーションおよびそれらの対応する接続および寄与の知識を有し、したがって特定の領域におけるベースステーションに対する主要なノイズに寄与する移動ステーションが知られる。この知識により、コントローラ１１３は寄与している移動ステーションに対し、問題の領域が満足にカバーされるまで、それらの電力を低減するよう指令することができる。これは次に違背している（ｏｆｆｅｎｄｉｎｇ）セルのベースステーションへの／からの接続をこれらの接続がもはや困った領域における問題を引き起こさないように条件が変化するまで、限定するための基礎として作用することができる。前記接続の除去はいずれのカバレージに関してもなんらの他のネガティブな影響を持たないから、順方向リンクの場合と異なり、他の領域を評価する必要は無い。
セルラシステムのオペレータは書き取めまたは記録することができ、あるいはコントローラ１１３は警報または問題領域の範囲または発生（ｉｎｃｉｄｅｎｃｅｓ）を追跡することができ、かつもし動作の間にある領域（単数または複数）が就業日の所定の割合または時間の間受入れ不能になれば、個々にまたはグループでとられたパラメータメッシュは問題の種別および／または激烈さの指示を生み出すことができる。この問題は次にベースステーションの付加、異なるアンテナの使用、その他によって治療することができる。この解釈がどのように行われるかにつき以下に詳細に説明する。
複数メッシュツール
ＣＤＭＡのより大きな複雑さはそれがしばしば１つより多くのメッシュを統計的に同時に評価するのに有利であることを意味する。１つより多くのパラメータメッシュを１度に評価することにより、ＣＤＭＡシステムのより大きな総合的理解を得ることができる。
例えば、チェックされるメッシュの第１の組み合わせは順方向および逆方向リンク電力要求メッシュである。セルラ通信システムは２方向（ｔｗｏ−ｗａｙ）であるから、順方向および逆方向双方のリンク電力が良好である必要がある。もしいずれかが悪ければ、通信が悪くなる可能性が極めて高くなる。このことを心に留めて、各メッシュに関する対応するメッシュポイントがチェックされる。この試験は各メッシュに対して異なる基準を使用できることに注目することが重要である。例えば、要求される順方向リンク電力は３３ｄＢｍより小さくしてもよく、一方要求される逆方向リンク電力は２０ｄＢｍより小さくてもよい。あるポイントにおいてもし両方が当てはまれば、これはその頂点に対するパス条件である。前に述べたように、各々の頂点に対するパスまたは及第（ｐａｓｓ）の確率はＮ／Ｍであり、かつ２つのメッシュは（結果として）単一確率のメッシュへと低減される。基準に落第する結果としてのメッシュの領域はさらなる検討のための候補である。
例えば、逆方向リンクメッシュおよび最善のＥｃ／Ｉｏメッシュに関して同時に受入れ不能な領域は、特に軽い負荷の下で、しばしば「経路損失問題（ｐａｔｈｌｏｓｓ  ｐｒｏｂｌｅｍ）」を受けているものと見ることができる。すなわち、受入れ可能な品質でその領域にサービスすることができるＣＤＭＡシステムのベースステーションはありそうにない。しかしながら、ＣＤＭＡシステムがロードし始めると、「経路損失問題」を受けているそのような領域は徐徐に消えるであろう。もしコントローラ１１３が所要な妨害物を受入れ可能なレベルまで低減できなければ、その領域はシステムオペレータに警報されるべきであり（上に述べたように）、それはシステムの再設計が必要とされる可能性があるからである。
他の例として、前記最善のＥｃ／Ｉｏメッシュが受入れ不能な値（例えば、マイナス１３ｄＢより低い値）を示しかつ良好なパイロットメッシュの数が「大きな」数のパイロット（例えば、６）を示せば、これらのパイロットはお互いに妨害を引き起こしかつこの筋書きに特定の問題を生じる傾向があり、いずれのパイロットも良好であると見られない。これは上にのべた「経路損失問題」ではなく、経路損失は問題の領域からの多すぎるベースステーションに対してあまりにも低い。これは従来技術のＣＤＭＡ制御システムに対して問題のある条件であるとして知られている。この問題を本発明にしたがって経験するため、これらのパイロットの１つ（またはそれ以上）の電力が低減される。もしこれが他のいずれかの重要な領域の劣化なしに行うことができなければ、ベースステーション（単数または複数）はこの問題を修復するために移動されなければならないかもしれない。これらの新しいベースステーションのロケーションは上に述べたようにコントローラ１１３によって再評価することができる。
時間メッシュツール
この場合、特定のメッシュセットが順次ある特定の数のメッシュに対してある特定の条件の適合に対してサーチされ、これはメッシュが時間エポックに対して動く場合に秒数を表わす。これはメッシュが空間エポックのみに対して生成される場合にうまく機能しないであろう。
１例として、要求される順方向または逆方向リンク電力が利用可能な電力より上に移行した期間を考える。短い期間の間は、この条件は受入れ可能であるかもしれないが、より長い期間に対しては、この条件は明らかに受入れ不能である。評価に時間を含めることにより、最終的な結果として生じるメッシュは各ロケーションにおいて生じる特定の事象の確率を示す。発生の数、発生の合計期間、発生の時間の合計フラクション、その他を報告することを含む、この事象を報告できる数多くの方法がある。
この時間メッシュツールに基づくシステム制御は上に述べたものと同様であり、かつ「受入れ不能（ｕｎａｃｃｅｐｔａｂｌｅ）」と見なされるものを調べまたは見る方法が異なるのみである。上の説明において、問題のリンクの平均性能は「受入れ不能」の意味を規定するために使用されたことが示唆された。しかしながら、実際に、長い時間にわたる平均は短い期間のひどく受入れ不能な性能を隠すかもしれず、一方セルラシステムのユーザは実際に劣悪なサービスの短い期間に対して主観的にネガティブな方法で応答する傾向がある。
このメッシュツールにより、ここで使用可能な基準は「劣悪な（ｐｏｏｒ）」サービスのＮの期間、またはＴ秒のより長い期間における少なくともｔ秒の間とすることができる。より簡単な構成では、任意の期間または少なくともｔ秒の劣悪なサービスを該条件とすることができる。受入れ不能なサービスおよび／または品質のこれらの規定はコントローラ１１３において調整可能である。
従来技術のＣＤＭＡコントローラにおいては、「カバレージ」は経路損失またはキャリア対妨害比（ｃａｒｒｉｅｒ−ｔｏ−ｉｎｔｅｒｆｅｒｅｎｃｅ  ｒａｔｉｏ）のような単一の変数の関数として表わされた。本発明に係わるパラメータメッシュを実施することにより、経路損失のみが考慮されるのではなく遅延広がり、システムにおける全ての移動ステーションに対する電力制御、移動ステーションの速度による無線機の感度の変動、システムにわたるソフトハンドオフ状態、エネルギを回復する上での受信機効率、および順方向および逆方向リンク両方に対する個別のおよび／または同時の他の変数を考慮することができる。時間エポックにおいては、システムの時間進展が使用され、過去において使用された単純な統計的方法に対しリンク品質の増強された知識につながる。さらに、計算は注目の領域全体にわたり生成される。
したがって、本発明は前述の実施形態によって制限されるのではなく、添付の請求の範囲の精神および範囲にしたがった全てのそのような交換、変更、および修正を含むことを意図している。本発明が特定の実施形態に関して示されかつ説明されたが、当業者は本発明の精神および範囲から離れることなく形式および細部の種々の変更を行うことができることが理解されるであろう。以下の請求の範囲における対応する構造、材料、作用および全ての手段またはステッププラス機能の等価物は特に特許請求された他の要素と組み合わせた任意の構造、材料、または機能を達成するための作用を含むものと考える。
【図１】
0004128222.tif 000003
【図２】
0004128222.tif 000004
【図３】
0004128222.tif 000005
【図４】
0004128222.tif 000006
【図５】
0004128222.tif 000007